(57)【要約】      （修正有）【課題】複数の波長の光でほぼ等しいデフォーカス量が得られる光ピックアップ装置及び光ディスク装置を提供する。【解決手段】互いに異なる複数の波長の光を出射する光源１０と、光ディスクからの反射光２２、２３を集光させる対物レンズ１２及びデフォーカス量を得るための光に変換する非点収差生成素子１４と、一つの受光面１６の互いに異なる位置に入射した複数の波長の反射光２２、２３を、デフォーカス量を得るための電気信号に変換して出力する受光器１５と、を備え、受光面１６は、光ディスクで合焦の複数の波長の反射光２２、２３のそれぞれから得られるデフォーカス量がほぼ同じ値となるように光軸に対して傾けて配置した。【選択図】図１
2010146617.tif 000002
【特許請求の範囲】
【請求項１】
互いに異なる複数の波長の光を出射する光源と、
光ディスクからの反射光を集光させる集光手段及びデフォーカス量を得るための光に変換する変換手段と、
一つの受光面の互いに異なる位置に入射した前記複数の波長の反射光を、前記デフォーカス量を得るための電気信号に変換して出力する受光器と、を備え、
前記受光面は、前記光ディスクで合焦の前記複数の波長の反射光のそれぞれから得られる前記デフォーカス量がほぼ同じ値となるように光軸に対して傾けて配置したことを特徴とする光ピックアップ装置。
【請求項２】
前記光源は互いに異なる二つの波長の光を出射することを特徴とする請求項１記載の光ピックアップ装置。
【請求項３】
前記光源は前記二つの波長の光をそれぞれ近接した位置から出射し、前記二つの波長の光を出射する位置間の距離が前記受光面へ入射する位置間の距離に対応することを特徴とする請求項２記載の光ピックアップ装置。
【請求項４】
前記光源は互いに異なる三つの波長の光を出射することを特徴とする請求項１記載の光ピックアップ装置。
【請求項５】
前記光源は前記互いに異なる三つの波長の光をそれぞれ近接した位置から出射し、前記三つの波長の光を出射する位置間の距離が前記受光面へ入射する位置間の距離に対応することを特徴とする請求項４記載の光ピックアップ装置。
【請求項６】
前記光源は前記互いに異なる三つの波長の光のうち所定の二つの波長の光をそれぞれ近接した位置から出射し、この二つの波長の光を出射する位置間の距離が前記受光面へ入射する位置間の距離に対応することを特徴とする請求項４記載の光ピックアップ装置。
【請求項７】
互いに異なる複数の波長の光を出射する光源と、
光ディスクからの反射光を集光させる集光手段及びデフォーカス量を得るための光に変換する変換手段と、
一つの受光面の互いに異なる位置に入射した前記複数の波長の反射光を、前記デフォーカス量を得るための電気信号に変換して出力する受光器と、
前記受光器から出力された電気信号から前記デフォーカス量を導出するデフォーカス量導出手段と、を備え、
前記受光面は、前記光ディスクで合焦の前記複数の波長の反射光のそれぞれから得られる前記デフォーカス量がほぼ同じ値となるように光軸に対して傾けて配置したことを特徴とする光ディスク装置。
【発明の詳細な説明】
【技術分野】
【０００１】
本発明は、パーソナルコンピュータ、ノートブック型コンピュータ等の電子機器に搭載される光ピックアップ装置及び光ディスク装置に関するものである。
【背景技術】
【０００２】
従来の光ピックアップ装置の構成は、例えば以下の構成となっていた。すなわち、互いに異なる二つの波長の光を出射する光源と、光ディスクからの反射光を集光させる集光手段及びデフォーカス量を得るための光に変換する変換手段と、一つの受光面の互いに異なる位置に入射した二つの波長の反射光を、デフォーカス量を得るための電気信号に変換して出力する受光器と、を備えていた。（特許文献１）は、その一つの例である。
【特許文献１】特開２００１−１２６３０４号公報
【発明の開示】
【発明が解決しようとする課題】
【０００３】
ところが、光源から光ディスクまでの往路と光ディスクから受光器までの復路とで光路が異なることや収差の及ぼす影響により、光ディスクで合焦だった光が受光器の受光面で二つの波長の光で集光状態が異なるといった現象が生じる。その結果、受光器から出力された電気信号により生成されたフォーカスエラー信号から得られるデフォーカス量が二つの波長の光で異なってしまう。そのため、光ピックアップ装置を製造する際、二つの波長の光のうちどちらか一方のデフォーカス量が適正になるように受光器を光軸方向に調整すると、他方のデフォーカス量は適正な範囲を越える場合があった。
【０００４】
本発明は前記従来の課題を解決するもので、複数の波長の光でほぼ等しいデフォーカス量が得られる光ピックアップ装置及び光ディスク装置を提供することを目的とする。
【課題を解決するための手段】
【０００５】
上記課題を解決するために、本発明は、互いに異なる複数の波長の光を出射する光源と、光ディスクからの反射光を集光させる集光手段及びデフォーカス量を得るための光に変換する変換手段と、一つの受光面の互いに異なる位置に入射した前記複数の波長の反射光を、前記デフォーカス量を得るための電気信号に変換して出力する受光器と、を備え、前記受光面は、前記光ディスクで合焦の前記複数の波長の反射光のそれぞれから得られる前記デフォーカス量がほぼ同じ値となるように光軸に対して傾けて配置した。これにより、所期の目的を達成するものである。
【発明の効果】
【０００６】
以上のように本発明は、互いに異なる複数の波長の光を出射する光源と、光ディスクからの反射光を集光させる集光手段及びデフォーカス量を得るための光に変換する変換手段と、一つの受光面の互いに異なる位置に入射した前記複数の波長の反射光を、前記デフォーカス量を得るための電気信号に変換して出力する受光器と、を備え、前記受光面は、前記光ディスクで合焦の前記複数の波長の反射光のそれぞれから得られる前記デフォーカス量がほぼ同じ値となるように光軸に対して傾けて配置したもので、複数の波長の光でほぼ等しいデフォーカス量が得られる。すなわち、本発明においては、受光面は、光ディスクで合焦の複数の波長の反射光のそれぞれから得られるデフォーカス量がほぼ同じ値となるように光軸に対して傾けて配置したものとしたので、複数の波長の光でほぼ等しいデフォーカス量が得ることができるようになった。
【発明を実施するための最良の形態】
【０００７】
本発明の請求項１の発明は、互いに異なる複数の波長の光を出射する光源と、光ディスクからの反射光を集光させる集光手段及びデフォーカス量を得るための光に変換する変換手段と、一つの受光面の互いに異なる位置に入射した複数の波長の反射光を、デフォーカス量を得るための電気信号に変換して出力する受光器と、を備え、受光面は、光ディスクで合焦の複数の波長の反射光のそれぞれから得られるデフォーカス量がほぼ同じ値となるように光軸に対して傾けて配置した光ピックアップ装置とした。受光面は、光ディスクで合焦の複数の波長の反射光のそれぞれから得られるデフォーカス量がほぼ同じ値となるように光軸に対して傾けて配置したものとしたので、複数の波長の光でほぼ等しいデフォーカス量が得ることができるようになった。
【０００８】
請求項２の発明は、請求項１の発明において、光源は互いに異なる二つの波長の光を出射する光ピックアップ装置とした。受光面は、光ディスクで合焦の二つの波長の反射光のそれぞれから得られるデフォーカス量がほぼ同じ値となるように光軸に対して傾けて配置したものとしたので、二つの波長の光でほぼ等しいデフォーカス量が得ることができるようになった。
【０００９】
請求項３の発明は、請求項２の発明において、光源は二つの波長の光をそれぞれ近接した位置から出射し、二つの波長の光を出射する位置間の距離が受光面へ入射する位置間の距離に対応する光ピックアップ装置とした。２波長レーザ光源を用いることで、二つの波長の反射光が受光面に入射する位置を異ならせることができる。そのため、集光手段と変換手段とに受光面に入射する二つの波長の反射光の位置を異ならせるための特別な構成を用いる必要がなく、簡単な構成にすることができる。
【００１０】
請求項４の発明は、請求項１の発明において、光源は互いに異なる三つの波長の光を出射する光ピックアップ装置とした。受光面は、光ディスクで合焦の三つの波長の反射光のそれぞれから得られるデフォーカス量がほぼ同じ値となるように光軸に対して傾けて配置したものとしたので、三つの波長の光でほぼ等しいデフォーカス量が得ることができるようになった。
【００１１】
請求項５の発明は、請求項４の発明において、光源は互いに異なる三つの波長の光をそれぞれ近接した位置から出射し、三つの波長の光を出射する位置間の距離が受光面へ入射する位置間の距離に対応する光ピックアップ装置とした。３波長レーザ光源を用いることで、三つの波長の反射光が受光面に入射する位置を異ならせることができる。そのため、集光手段と変換手段とに受光面に入射する三つの波長の反射光の位置を異ならせるための特別な構成を用いる必要がなく、簡単な構成にすることができる。
【００１２】
請求項６の発明は、請求項４の発明において、光源は互いに異なる三つの波長の光のうち所定の二つの波長の光をそれぞれ近接した位置から出射し、この二つの波長の光を出射する位置間の距離が受光面へ入射する位置間の距離に対応する光ピックアップ装置とした。２波長レーザ光源を用いることで、三つの波長の光のうち所定の二つの波長の反射光が受光面に入射する位置を異ならせることができる。そのため、集光手段と変換手段とに受光面に入射する二つの波長の反射光の位置を異ならせるための特別な構成を用いる必要がなく、簡単な構成にすることができる。
【００１３】
請求項７の発明は、互いに異なる複数の波長の光を出射する光源と、光ディスクからの反射光を集光させる集光手段及びデフォーカス量を得るための光に変換する変換手段と、一つの受光面の互いに異なる位置に入射した複数の波長の反射光を、デフォーカス量を得るための電気信号に変換して出力する受光器と、受光器から出力された電気信号からデフォーカス量を導出するデフォーカス量導出手段とを備え、受光面は、光ディスクで合焦の複数の波長の反射光のそれぞれから得られるデフォーカス量がほぼ同じ値となるように光軸に対して傾けて配置した光ディスク装置とした。受光面は、光ディスクで合焦の複数の波長の反射光のそれぞれから得られるデフォーカス量がほぼ同じ値となるように光軸に対して傾けて配置したものとしたので、複数の波長の光でほぼ等しいデフォーカス量が得ることができるようになった。
【００１４】
（実施の形態１）
本実施の形態１について、図面を参照しながら説明する。
【００１５】
図１は本実施の形態１を示し、光源１０、集積プリズム１１、対物レンズ１２、受光器１５とを配置している。光源１０は互いに異なる複数の波長の光を出射する。本実施の形態１において、光源１０は、互いに異なる二つの波長の光を出射し、波長λ１＝７８０ｎｍの光をＣＤ２０に向けて出射する発光部１０ａと波長λ２＝６５０ｎｍの光をＤＶＤ２１に向けて出射する発光部１０ｂとを有する。また、本実施の形態１において、光源１０は二つの波長λ１、λ２の光をそれぞれ近接した位置から出射する２波長レーザ光源である。対物レンズ１２はＣＤ２０からの反射光２２及びＤＶＤ２１からの反射光２３を集光させる。すなわち、対物レンズ１２は集光手段でもある。
【００１６】
集積プリズム１１はビームスプリッタ１３を内部に配置する。ビームスプリッタ１３は、反射させることで反射光２２及び反射光２３を受光器１５へ向かわせる。集積プリズム１１はさらに非点収差生成素子１４を内部に配置する。非点収差生成素子１４はビームスプリッタ１３と受光器１５との間に配置され、反射光２２及び反射光２３を非点収差法でデフォーカス量を得るための光に変換する変換手段である。非点収差生成素子１４はフレネルミラーで形成されている。
【００１７】
受光器１５は、一つの受光面１６の互いに異なる位置に入射した複数の波長の反射光を、デフォーカス量を得るための電気信号に変換して出力する。本実施の形態１において、受光器１５の受光面１６には、反射光２２及び反射光２３が入射する。デフォーカス量は受光器１５の出力から生成されるフォーカスエラー信号から得られ、ＣＤ２０やＤＶＤ２１上での集光状態を表す指標である。
【００１８】
図２に示すように、受光器１５は受光面１６に通常複数のフォトダイオード１７を配置している。ａ、ｂ、ｃ、ｄ、ｅ、ｆ、ｇ、ｈの各フォトダイオード１７にはＣＤ２０からの反射光２２が入射する。また、Ａ、Ｂ、Ｃ、Ｄ、Ｅ、Ｆ、Ｇ、Ｈ、Ｉ、Ｊ、Ｋ、Ｌの各フォトダイオード１７にはＤＶＤ２１からの反射光２３が入射する。受光器１５において、ａ、ｂ、ｃ、ｄ、ｅ、ｆ、ｇ、ｈのフォトダイオード１７に入射し変換されたＣＤ用の電気信号をａ、ｂ、ｃ、ｄ、ｅ、ｆ、ｇ、ｈとする。また、Ａ、Ｂ、Ｃ、Ｄ、Ｅ、Ｆ、Ｇ、Ｈ、Ｉ、Ｊ、Ｋ、Ｌのフォトダイオード１７に入射し変換されたＤＶＤ用の電気信号をＡ、Ｂ、Ｃ、Ｄ、Ｅ、Ｆ、Ｇ、Ｈ、Ｉ、Ｊ、Ｋ、Ｌとする。
【００１９】
ＣＤ用のフォーカスエラー信号ＦＥＳは、ＣＤ−Ｒ／ＲＷ／ＲＯＭ：ＦＥＳ＝（ａ＋ｃ）−（ｂ＋ｄ）である。また、ＤＶＤ用のフォーカスエラー信号ＦＥＳは、ＤＶＤ−ＲＯＭ、ＤＶＤ±Ｒ／ＲＷ：ＦＥＳ＝（Ａ＋Ｃ）−（Ｂ＋Ｄ）、ＤＶＤ−ＲＡＭ：ＦＥＳ＝｛（Ａ＋Ｃ）−（Ｂ＋Ｄ）｝＋Ｋｔ×｛（Ｅ＋Ｉ＋Ｇ＋Ｋ）−（Ｈ＋Ｌ＋Ｆ＋Ｊ）｝である。ここでＫｔは動作設定に応じて定まる定数である。デフォーカス量はフォーカスエラー信号を全光量で割って正規化した値である。
【００２０】
光源１０から出射された波長λ１、λ２の光は集積プリズム１１、対物レンズ１２を通りＣＤ２０またはＤＶＤ２１に入射する。ＣＤ２０で反射した反射光２２、ＤＶＤ２１で反射した反射光２３は対物レンズ１２を通り、集積プリズム１１内のビームスプリッタ１３で反射し、非点収差生成素子１４で反射して受光器１５に入射する。受光器１５に入射した光は電気信号に変換されて出力される。
【００２１】
図３は図１のＡ部を拡大したもので、ＣＤ２０で合焦状態の反射光２２の方が、ＤＶＤ２１で合焦状態の反射光２３よりも受光面１６近傍において対物レンズ１２に近い側で合焦状態である場合を示す。この場合、受光面１６近傍において合焦状態というのは錯乱円が円形状である状態をいう。
【００２２】
従来、図３の破線で示す受光器１５のように光軸に対して直角な方向に受光面１６を配置し、破線で示すＤＶＤ２１からの反射光２３が合焦状態になるように光軸方向の位置調整をすると、破線で示すＣＤ２０からの反射光２２は合焦状態からずれてしまう。すなわち、ＤＶＤ２１はデフォーカス量がほぼ０でも、ＣＤ２０はデフォーカス量が０ではない状態になってしまう。
【００２３】
受光面１６は、ＣＤ２０やＤＶＤ２１といった光ディスクで合焦の複数の波長の反射光のそれぞれから得られるデフォーカス量がほぼ同じ値となるように光軸に対して傾けて配置したため、複数の波長の光でほぼ等しいデフォーカス量が得られる。すなわち、本実施の形態１において、受光面１６は、ＣＤ２０で合焦の反射光２２とＤＶＤ２１で合焦の反射光２３のそれぞれから得られるデフォーカス量がほぼ同じ値となるように光軸に対して傾けて配置したため、二つの波長λ１、λ２の光でほぼ等しいデフォーカス量が得られる。そのため、光ピックアップ装置を製造する際、二つの波長λ１、λ２の光のうちどちらか一方のデフォーカス量が適正になるように受光器１５を光軸方向に調整すると、他方のデフォーカス量が適正な範囲を越えることを抑制することができる。
【００２４】
なお、本実施の形態１において、ＣＤ２０で合焦状態の反射光２２の方が、ＤＶＤ２１で合焦状態の反射光２３よりも受光面１６近傍において対物レンズ１２に近い側で合焦状態である場合を示したが、逆でも構わない。
【００２５】
また、受光面１６を傾ける量に関しては、光ピックアップ装置を製造する際に、１台ずつ二つの波長λ１、λ２の光のデフォーカス量を測定し、同じ値になるように受光面１６の傾き量を調整しても構わない。また、あらかじめ二つの波長λ１、λ２の光のデフォーカス量の傾向を把握して受光面１６の傾き量を決定しておき、実際に製造する際、受光面１６をその傾き量だけ傾かせておき、どちらか一方の波長の光を用いて受光器１５の光軸方向の調整のみを行っても構わない。
【００２６】
本実施の形態１において、受光面１６を傾けるためには反射光２２と反射光２３とは受光面１６の異なる位置に入射することが前提である。図１に示すように、光源１０は二つの波長λ１、λ２の光を出射する発光部１０ａ、１０ｂを近接して設けたものを用いた。この発光部１０ａと発光部１０ｂとの間の距離は受光面１６へ入射する反射光２２の位置と反射光２３との位置間の距離に対応する。すなわち、発光部１０ａと発光部１０ｂとの間の距離は、図２に示すａ、ｂ、ｃ、ｄのフォトダイオード１７の中心とＡ、Ｂ、Ｃ、Ｄのフォトダイオード１７の中心との間の距離に対応する。したがって、集光手段と変換手段とに受光面１６に入射する二つの波長λ１、λ２の反射光２２、２３の位置を異ならせるための特別な構成を用いる必要がなく、簡単な構成にすることができる。
【００２７】
光源１０は、発光部１０ａと発光部１０ｂとが全く別々の部品であっても構わない。その場合、通常、別々の方向から来た発光部１０ａからの光と発光部１０ｂからの光とをダイクロプリズムで同じ方向に同じ光路になるようにしてＣＤ２０、ＤＶＤ２１へと導く。したがって、反射光２２と反射光２３とは同じ光路で受光器１５へと向かうことになるが、これを変換手段で受光面１６の異なる位置へ入射するようにすれば良い。
【００２８】
図４には光源（光路）と変換手段の組合せの例を示している。図４（ａ）は本実施の形態１と同じであり、発光部１０ａ、１０ｂを近接して設けた光源１０を用い、変換手段１８として非点収差生成素子１４を用いた場合である。変換手段１８は二つの波長λ１、λ２の光で共用である。変換手段１８としては、ナイフエッジ法に適した手段を用いても良い。図４（ｂ）は二つの波長λ１、λ２の光で別々の変換手段１８を用いた場合である。
【００２９】
また、図４（ｃ）は、発光部１０ａと発光部１０ｂとが全く別々の部品である光源１０を用い、光路を一つにし、変換手段１８で反射光２２と反射光２３との光路を違えるようにした場合である。変換手段１８は例えば一つのホログラムで回折角が波長によって異なることを利用して受光面１６の異なる位置へ入射するようにすれば良い。この場合、ホログラムは二つの波長λ１、λ２の光で共用である。また、この場合、スポットサイズ法によるフォーカス制御が行われる。また、図４（ｄ）は、二つの波長λ１、λ２の光で別々の変換手段１８を用いた場合である。このように光源１０と変換手段１８とは様々な組合せが考えられる。
【００３０】
（実施の形態２）
本実施の形態２について、図面を参照しながら説明する。
【００３１】
図５は本実施の形態２を示し、光源３０、集積プリズム３１、対物レンズ３２、受光器３５とを配置している。光源３０は互いに異なる複数の波長の光を出射する。本実施の形態２において、光源３０は、互いに異なる三つの波長の光を出射し、波長λ１＝７８０ｎｍの光をＣＤ２０に向けて出射する発光部３０ａと波長λ２＝６５０ｎｍの光をＤＶＤ２１に向けて出射する発光部３０ｂと波長λ３＝４０５ｎｍの光をＢＤ２１に向けて出射する発光部３０ｃとを有する。また、本実施の形態２において、光源３０は三つの波長λ１、λ２、λ３の光をそれぞれ近接した位置から出射する３波長レーザ光源である。対物レンズ３２はＣＤ２０からの反射光２５、ＤＶＤ２１からの反射光２６及びＢＤ２４からの反射光２７を集光させる集光手段でもある。ここでＢＤ２４はブルーレイディスク（Ｂｌｕ−ｒａｙ  Ｄｉｓｃ）である。
【００３２】
集積プリズム３１はビームスプリッタ３３を内部に配置する。ビームスプリッタ３３は、反射させることで反射光２５、２６、２７を受光器３５へ向かわせる。集積プリズム３１はさらに非点収差生成素子３４を内部に配置する。非点収差生成素子３４はビームスプリッタ３３と受光器３５との間に配置され、反射光２５、２６、２７を非点収差法でデフォーカス量を得るための光に変換する変換手段である。非点収差生成素子３４はフレネルミラーで形成されている。受光器３６は、一つの受光面３６の互いに異なる位置に入射した複数の波長の反射光を、デフォーカス量を得るための電気信号に変換して出力する。本実施の形態２において、受光器３５は、一つの受光面３６の互いに異なる位置に入射した反射光２５、２６、２７を、デフォーカス量を得るための電気信号に変換して出力する。
【００３３】
図６に示すように、受光器３５は受光面３６に通常複数のフォトダイオード３７を配置している。ａ、ｂ、ｃ、ｄ、ｅ、ｆ、ｇ、ｈ、Ａ、Ｂ、Ｃ、Ｄ、Ｅ、Ｆ、Ｇ、Ｈ、Ｉ、Ｊ、Ｋ、Ｌの各フォトダイオード３７実施の形態１のフォトダイオード１７と同じなので、その説明を援用する。α、β、γ、δ、ε、ζ、η、θ、ι、κ、λ、μのフォトダイオード３７にはＢＤ２４からの反射光２７が入射する。受光器３５において、α、β、γ、δ、ε、ζ、η、θ、ι、κ、λ、μのフォトダイオード３７に入射し変換されたＢＤ用の電気信号をα、β、γ、δ、ε、ζ、η、θ、ι、κ、λ、μとする。
【００３４】
ＢＤ用のフォーカスエラー信号ＦＥＳは、ＢＤ−ＲＯＭ、ＢＤ−Ｒ：ＦＥＳ＝（α＋γ）−（β＋δ）、ＤＶＤ−ＲＥ：ＦＥＳ＝｛（α＋γ）−（β＋δ）｝＋Ｋｔ×｛（ε＋ι＋η＋λ）−（θ＋μ＋ζ＋κ）｝である。ここでＫｔは動作設定に応じて定まる定数である。デフォーカス量はフォーカスエラー信号を全光量で割って正規化した値である。
【００３５】
図５に示す発光部３０ａと発光部３０ｂと発光部３０ｃとの間の距離は受光面３６へ入射する反射光２５の位置と反射光２６と反射光２７との位置間の距離に対応する。すなわち、発光部３０ａと発光部３０ｂとの間の距離は、図６に示すａ、ｂ、ｃ、ｄのフォトダイオード３７の中心とＡ、Ｂ、Ｃ、Ｄのフォトダイオード３７の中心との間の距離に対応する。また、発光部３０ｂと発光部３０ｃとの間の距離は、図６に示すＡ、Ｂ、Ｃ、Ｄのフォトダイオード３７の中心とα、β、γ、δのフォトダイオード３７の中心との間の距離に対応する。また、発光部３０ｃと発光部３０ａとの間の距離は、図６に示すα、β、γ、δのフォトダイオード３７の中心とａ、ｂ、ｃ、ｄのフォトダイオード３７の中心との間の距離に対応する。したがって、集光手段と変換手段とに受光面３６に入射する三つの波長λ１、λ２、λ３の反射光２５、２６、２７の位置を異ならせるための特別な構成を用いる必要がなく、簡単な構成にすることができる。
【００３６】
本実施の形態２において、受光面３６は、ＣＤ２０で合焦の反射光２５とＤＶＤ２１で合焦の反射光２６とＢＤ２４で合焦の反射光２７のそれぞれから得られるデフォーカス量がほぼ同じ値となるように光軸に対して傾けて配置したため、三つの波長λ１、λ２、λ３の光でほぼ等しいデフォーカス量が得られる。そのため、光ピックアップ装置を製造する際、三つの波長λ１、λ２、λ３の光のうちどれか一つのデフォーカス量が適正になるように受光器３５を光軸方向に調整すると、他のデフォーカス量が適正な範囲を越えることを抑制することができる。
【００３７】
また、受光面３６を傾ける量に関しては、実施の形態１と同様に、光ピックアップ装置を製造する際に、１台ずつ三つの波長λ１、λ２、λ３の光のデフォーカス量を測定し、同じ値になるように受光面３６の傾き量を調整しても構わない。また、あらかじめ三つの波長λ１、λ２、λ３の光のデフォーカス量の傾向を把握して受光面３６の傾き量を決定しておき、実際に製造する際、受光面３６をその傾き量だけ傾かせておき、どれか一つの波長の光を用いて受光器３５の光軸方向の調整のみを行っても構わない。
【００３８】
光源３０は、発光部３０ａと発光部３０ｂと発光部３０ｃとが全く別々の部品であっても構わない。その場合、通常、別々の方向から来た発光部３０ａからの光と発光部３０ｂからの光と発光部３０ｃからの光をダイクロプリズムで同じ方向に同じ光路になるようにしてＣＤ２０、ＤＶＤ２１、ＢＤ２４へと導く。
【００３９】
また、光源３０としては、実施の形態１に示す光源１０と発光部３０ｃとを用いても良い。その場合、通常、別々の方向から来た光源１０からの光と発光部３０ｃからの光をダイクロプリズムで同じ方向に同じ光路になるようにしてＣＤ２０、ＤＶＤ２１、ＢＤ２４へと導く。すなわち、三つの波長λ１、λ２、λ３の光のうち所定の二つの波長λ１、λ２の光を出射する位置間の距離が受光面３６へ入射する位置間の距離に対応するようにした。２波長レーザ光源を用いることで、三つの波長λ１、λ２、λ３の光のうち所定の二つの波長λ１、λ２の反射光２５、２６が受光面３６に入射する位置を異ならせることができる。そのため、集光手段と変換手段とに受光面３６に入射する二つの波長λ１、λ２の反射光２５、２６の位置を異ならせるための特別な構成を用いる必要がなく、簡単な構成にすることができる。
【００４０】
変換手段としては、実施の形態１と同様に、非点収差法、ナイフエッジ法、スポットサイズ法等に適した手段を用いれば良い。また、変換手段で受光面３６の互いに異なる位置へ波長λ１、λ２、λ３の光が入射するようにすれば、反射光２５、２６、２７が同じ光路で変換手段へと向かっても良い。
【００４１】
（実施の形態３）
本実施の形態３について、図面を参照しながら説明する。
【００４２】
図７は本実施の形態３を示し、光源１０と集光手段と変換手段と受光器１５とデフォーカス量導出手段とを備えている。すなわち、実施の形態１の光ピックアップ装置とデフォーカス量導出手段とを備えた構成でもある。したがって、光源１０と集光手段と変換手段と受光器１５についての説明は実施の形態１の説明を援用する。
【００４３】
デフォーカス量導出手段は受光器１５から出力された電気信号からデフォーカス量を導出する。光源１０から出射された波長λ１、λ２の光は集積プリズム１１、対物レンズ１２を通りＣＤ２０またはＤＶＤ２１に入射する。ＣＤ２０で反射した反射光２２、ＤＶＤ２１で反射した反射光２３は対物レンズ１２を通り、集積プリズム１１内のビームスプリッタ１３で反射し、非点収差生成素子１４で反射して受光器１５に入射する。受光器１５に入射した光は電気信号に変換されて出力され、光ディスク装置４０本体のアナログ信号処理部４１に送られる。
【００４４】
アナログ信号処理部４１は入力された信号に演算・帯域処理を行い、サーボ処理部４２に出力する。デフォーカス量導出手段としてのサーボ処理部４２はアナログ信号処理部４１からの信号を基にフォーカスエラー信号ＦＥＳを生成し、さらにデフォーカス量を算出してモータ駆動部４３に出力する。モータ駆動部４３は入力されたデフォーカス量を基に対物レンズ１２を搭載する対物レンズ駆動部１９を駆動する電流を生成する。これによりＣＤ２０やＤＶＤ２１に集光した光束の合焦からのずれが極小になるように制御される。
【００４５】
また、コントローラ４４にはアナログ信号処理部４１、サーボ処理部４２、モータ駆動部４３の各部から送られる信号が入力される。コントローラ４４はこれらの信号の演算処理等を行い、この演算処理の結果（信号）を各部に送出し、各部にて駆動、処理を実行させることで各部の制御を行う。
【００４６】
本実施の形態３において、受光面１６は、ＣＤ２０やＤＶＤ２１といった光ディスクで合焦の複数の波長の反射光のそれぞれから得られるデフォーカス量がほぼ同じ値となるように光軸に対して傾けて配置したため、複数の波長の光でほぼ等しいデフォーカス量が得られる。すなわち、受光面１６は、ＣＤ２０、ＤＶＤ２１で合焦の二つの波長λ１、λ２の反射光２２、２３のそれぞれから得られるデフォーカス量がほぼ同じ値となるように光軸に対して傾けて配置した。受光面１６は、ＣＤ２０、ＤＶＤ２１で合焦の二つの波長λ１、λ２の反射光２２、２３のそれぞれから得られるデフォーカス量がほぼ同じ値となるように光軸に対して傾けて配置したものとしたので、二つの波長λ１、λ２の光でほぼ等しいデフォーカス量が得ることができるようになった。
【００４７】
なお、本実施の形態３において、光ディスク装置は実施の形態１の光ピックアップ装置とデフォーカス量導出手段とを備えた構成としたが、実施の形態２の光ピックアップ装置とデフォーカス量導出手段とを備えた構成としても良い。その場合は、受光面３６は、ＣＤ２０、ＤＶＤ２１、ＢＤ２４で合焦の三つの波長λ１、λ２、λ３の反射光２５、２６、２７のそれぞれから得られるデフォーカス量がほぼ同じ値となるように光軸に対して傾けて配置する。受光面３６は、ＣＤ２０、ＤＶＤ２１、ＢＤ２４で合焦の三つの波長λ１、λ２、λ３の反射光２５、２６、２７のそれぞれから得られるデフォーカス量がほぼ同じ値となるように光軸に対して傾けて配置したものとしたので、三つの波長λ１、λ２、λ３の光でほぼ等しいデフォーカス量が得ることができるようになった。
【産業上の利用可能性】
【００４８】
以上のように、本発明の光ピックアップ装置及び光ディスク装置は、複数の波長の光でほぼ等しいデフォーカス量が得られる。そのため、パーソナルコンピュータ、ノートブック型コンピュータ等の電子機器に搭載される。
【図面の簡単な説明】
【００４９】
【図１】本実施の形態１における光学系の構成ブロック図
【図２】本実施の形態１における受光器のフォトダイオードの配置図
【図３】図１のＡ部の拡大図
【図４】本実施の形態１における光学系主要部の構成ブロック図
【図５】本実施の形態２における光学系の構成ブロック図
【図６】本実施の形態２における受光器のフォトダイオードの配置図
【図７】本実施の形態３におけるフォーカス制御を示すブロック図
【符号の説明】
【００５０】
１０、３０    光源
１０ａ、１０ｂ、３０ａ。３０ｂ、３０ｃ    発光部
１１、３１    集積プリズム
１２、３２    対物レンズ
１３、３３    ビームスプリッタ
１４、３４    非点収差生成素子
１５、３５    受光器
１６、３６    受光面
１７、３７    フォトダイオード
１８    変換手段
１９    対物レンズ駆動部
２０    ＣＤ
２１    ＤＶＤ
２２、２３、２５、２６、２７    反射光
２４    ＢＤ
４０    光ディスク装置
４１    アナログ信号処理部
４２    サーボ処理部
４３    モータ駆動部
４４    コントローラ
【図１】
2010146617.tif 000003
【図２】
2010146617.tif 000004
【図３】
2010146617.tif 000005
【図４】
2010146617.tif 000006
【図５】
2010146617.tif 000007
【図６】
2010146617.tif 000008
【図７】
2010146617.tif 000009